(57)【要約】【課題】単一の画面表示部しか備えない構成の撮像装置では、撮影者と被撮影者が別々に居る際に、それぞれが表示画面を同時に確認することができない。【解決手段】撮像装置本体に取付可能な光学機器であり、前記撮像装置は、撮像レンズと、表示画面が露出するように前記撮像装置に配置された表示部と、前記撮像装置と前期表示部を連結するように設けられた回動機構を有し、前記撮像装置の前記回動機構は回動動作させることによって、前記表示部がなす面の法線方向が鉛直上向きになる位置で保持することが可能であり、前記表示部に装着した際に、略鉛直上向きに保持された前記表示部からの光束を撮像装置正面方向に反射光を反射させるように配置されたハーフミラーを備えており、前記表示部の法線方向への光束を前記ハーフミラーが透過し、遮蔽する部材がない。【選択図】図１３
2017138436.tif 000002
【特許請求の範囲】
【請求項１】
撮像装置本体に取付可能な光学機器であり、
前記撮像装置は、撮像レンズと、表示画面が露出するように前記撮像装置に配置された表示部と、前記撮像装置と前期表示部を連結するように設けられた回動機構を有し、
前記撮像装置の前記回動機構は回動動作させることによって、前記表示部がなす面の法線方向が鉛直上向きになる位置で保持することが可能であり、
前記表示部に装着した際に、鉛直上向きに保持された前記表示部からの光束を撮像装置正面方向に反射光を反射させるように配置されたハーフミラーを備えており、
前記表示部の法線方向への光束を前記ハーフミラーが透過し、遮蔽する部材がないことを特徴とする光学機器。
【請求項２】
前記光学機器は、前記表示部に装着された際に前記表示部面と直角となり、かつ、前記表示部からの光束を前記ハーフミラーが反射した光線および透過した光線を遮らない位置に内観面を有し、前記内観面は黒色であることを特徴とする請求項１に記載の光学機器。
【請求項３】
請求項１または請求項２に記載の光学機器を備えたビューファインダーであり、
前記撮像装置に装置された際に、前記表示部からの光束を前記ハーフミラーが反射させ、前記ハーフミラーに対して平行に配置されるとともに前記ハーフミラーからの前記光束を前記ハーフミラーの入射光に平行に反射させる反射鏡を有する着脱可能な反射鏡ユニットを備えていることを特徴とするビューファインダー。
【請求項４】
前記ビューファインダーに対して着脱可能な前記反射鏡ユニットは、前記光学機器に装着した状態において、前記ハーフミラーへの入射光の透過成分に直交するように開閉カバーを有しており、前記開閉カバーのうち前記透過成分が照射される面は黒色であり、前記開閉カバーは、前記反射鏡ユニットに取り付けられた回動機構によって回動が可能であり、前記開閉カバーが回動することによって、前記反射鏡ユニットが前記光学機器に装着されていない状態において、前記反射鏡が外部に露出しない状態をとれることを特徴とする請求項３に記載のビューファインダー。
【発明の詳細な説明】
【技術分野】
【０００１】
本発明は、ビデオカメラ等の撮像装置のビューファインダーに関し、詳しくは、表示画面を見るためのモニターを接眼型ファインダーとして利用することのできる撮像装置のビューファインダーを構成する光学機器に関する。
【背景技術】
【０００２】
ビデオカメラ等の撮像装置として、撮影画像や撮影設定を確認するための表示画面を撮影者が多様なポジションで視認することを可能にしたものが提供されている。その一つに、離れた位置から表示画面を見ることのできる２〜５インチ程度の大きさのモニターと、眼を接眼窓に付けて表示画面を覗くことの出来る接眼ファインダーの両方を備えたビデオカメラがある。
【０００３】
このようなビデオカメラでは、ローアングルやハイアングル撮影時、或いは三脚に取り付けた時等のように、ビデオカメラより眼を離した姿勢のほうが楽に撮影可能な場合にはモニターを使いながら撮影し、また、手に持ってアイレベルに構えながら撮影する場合には外光を遮蔽して明瞭な表示画面を確認するために接眼ファインダーが使われる。
【０００４】
さらに、この種のビデオカメラとして、モニターが回動可能であり、モニターの表示面を被写体側に向けることができるものがある。これは主に、被撮影者が居る際に、被撮影者が表示画面を確認するために使用される機能である。例えば、自分撮り時に被写体でもある撮影者が撮影中の画像を確認するために使用する。あるいは、撮影者と被撮影者が別に居る際は、撮影者が接眼ファインダーで表示画面を見て、被撮影者はモニターで画面を確認するといったような使用方法が可能となる。
【０００５】
しかし、このような構成のビデオカメラでは、表示画面を表示するモニター用パネルと接眼ファインダー用パネルのそれぞれに駆動回路・信号処理回路などを設ける必要があり、コストアップおよび消費電力増加の懸念がある。この解決策として、モニターを接眼ファインダー用パネルとしても使用できるようにした構成が提案されている。すなわち、２〜５インチ程度のモニターに接眼レンズを装着することにより兼用を可能にしている。
【０００６】
その一例として、図１４に示すように、表示画面が露出するようにして撮像装置の所定位置に設けられているモニターに着脱自在に装着でき、接眼ファインダー装着時に表示画面の画像を光学系により縮小して出力する接眼ファインダーにおいて、光学系は、表示画面に対する角度を４５度以下にして表示画面上に表示画面上に配置された第１の反射鏡と、第１の反射鏡に対して平行に配置されるとともに第１の反射鏡からの光束を第１の反射鏡の入射光に並行する方向に反射させる第２の反射鏡と、第２の反射鏡からの光束を所定位置に結像させる凹、凸の組み合わせによる接眼レンズを含む撮像装置の接眼ファインダーが提案されている（特許文献１）。
【先行技術文献】
【特許文献】
【０００７】
【特許文献１】特開平１１−１９６３０２号公報
【発明の概要】
【発明が解決しようとする課題】
【０００８】
しかしながら、従来例のような撮像装置は単一の画面表示部しか備えないという構成であるが故に、撮影者と被撮影者が別々に居る際に、それぞれが表示画面を同時に確認することができないという課題がある。
【０００９】
本発明は、上記のような従来技術の問題点を解決するために提案されたものであり、画面表示部を一つのみ備える撮像装置において、撮影者と被撮影者が同時に画面表示部の画像を視認することが可能となる光学機器構造を提供することを目的とする。
【課題を解決するための手段】
【００１０】
上記の目的を達成するために、本発明に係る光学機器は、
撮像装置本体に取付可能な光学機器であり、
前記撮像装置は、撮像レンズと、表示画面が露出するように前記撮像装置に配置された表示部と、前記撮像装置と前期表示部を連結するように設けられた回動機構を有し、
前記撮像装置の前記回動機構は回動動作させることによって、前記表示部がなす面の法線方向が鉛直上向きになる位置で保持することが可能であり、
前記表示部に装着した際に、略鉛直上向きに保持された前記表示部からの光束を撮像装置正面方向に反射光を反射させるように配置されたハーフミラーを備えており、
前記表示部の法線方向への光束を前記ハーフミラーが透過し、遮蔽する部材がないことを特徴とする。
【発明の効果】
【００１１】
本発明によれば、単一の画面表示部のみを備える撮像装置において、撮像装置に取り付けることで撮影者と被撮影者が同時に画面表示部の画像を視認することができるようになる光学機器を提供できるようになる。
【図面の簡単な説明】
【００１２】
【図１】撮像装置本体の主に上面構成を表す正面右側上方から見た斜視図
【図２】撮像装置本体  の主に背面構成を表す背面左側上方から見た斜視図
【図３】撮像装置本体の上面側に表示部を向けた状態を底面右側下方からみた斜視図
【図４】撮像装置本体の上面側に表示部を向けた状態を右側面からみた斜視図
【図５】撮像装置本体の底面側に表示部を向けた状態を右側面からみた斜視図
【図６】撮像装置本体に着脱ファインダーを装着した状態の斜視図
【図７】着脱ファインダーの主に正面構成を表す上面右側から見た斜視図
【図８】着脱ファインダーの主に背面構成を表す底面左側から見た斜視図
【図９】ハーフミラーユニットの構成を表す斜視図
【図１０ａ】レンズユニットをカバー開閉状態別に表した斜視図
【図１０ｂ】レンズユニットをカバー開閉状態別に表した斜視図
【図１１】着脱ファインダーをＸＹ平面で切断した断面図
【図１２】表示部を上面側に向けた状態の撮像装置本体にハーフミラーユニットを取り付けた状態を表した斜視図
【図１３】図１２状態におけるハーフミラーユニットをＸＹ平面で切断した断面図
【図１４】着脱ファインダーを装着した撮像装置本体をＸＹ平面で切断し、主にアクセサリ取付部を部分的に表示した部分断面図
【発明を実施するための形態】
【００１３】
以下、本発明の好適な一実施形態について、撮像装置に本発明を適用し、図面を参照しながら詳細に説明する。
【００１４】
尚、本実施形態での説明において、図１における矢印にて示す方向を、各々±Ｘ方向・±Ｙ方向・±Ｚ方向と定める。また、本実施形態における撮像装置において、レンズ（前玉）側から見た面（図１−Ｘ方向に向かって見た時、視認できる面）を正面、正面と対向する面を背面、正面から見て右側の面を右側面、正面から見て左側の面を左側面、正面から見て上側の面を上面、正面から見て下側の面を底面、と各々称する。
【００１５】
（撮像装置外観斜視図の説明）
図１は撮像装置１０１の主に上面構成を表す正面右側上方から見た斜視図、図２は撮像装置１０１の主に背面構成を表す背面左側上方から見た斜視図、本図を用いて外観斜視図に表される各要素の機能を説明する。
【００１６】
図１、図２に示す撮像装置１０１の正面側にはレンズ１０２が配置されている。レンズ１０２には、撮影者が回動することで撮影画像の光学的な拡大縮小を行うズームリング１０３が配置されている。また、レンズ１０２には撮影者が回動することで、撮影画像の合焦位置を変動することができるフォーカスリング１０４が設けられている。
【００１７】
撮像装置１０１の右側面には、撮影者がＸ軸方向にスライド操作することで、合焦動作を行なうオートフォーカスモードと、撮影者が任意に合焦位置を操作するマニュアルフォーカスモードを切り替えるフォーカス切替スイッチ１０５が配置されている。また、表示部２０２に表示される撮像装置１０１のさまざま状態を示すアイコンの表示／非表示を切り替える表示切替スイッチ１０６ａ、撮像装置１０１がマニュアルフォーカスモードになっている場合に、撮影者が押している間だけ一時的にオートフォーカスモードに切り替えることができるＡＦスイッチ１０６ｂが配置されている。
【００１８】
撮像装置１０１の左側面には、把持部回動軸２０１を中心に回動可能に取り付けられた把持部１０７が配置されている。把持部１０７は図２に示す位置から把持部回動軸２０１を中心に矢印Ａ側に９０度、矢印Ｂ側に９０度回動するように構成されている。撮像装置１０１の上面には、入力された音声信号を電気信号に変換するマイク１０８が配置されている。マイク１０８の背面方向に隣接して、フラッシュや外部マイクなどのカメラアクセサリを装着可能なアクセサリ取付部１０９が配置されている。アクセサリ取付部１０９の下にはアクセサリ取付台座部１１０を設け、アクセサリ取付部１０９の高さを稼ぐ構成になっている。
【００１９】
撮像装置１０１の背面には、撮影者が撮像画像や再生画像の確認を行なう表示部２０２が配置されている。表示部２０２は撮像装置１０１に対して回動可能に取り付けられており、撮影者が撮影状況に合わせて、表示部２０２の位置を任意に変えることができるように構成されている。表示部２０２の回動動作については、後述する。
【００２０】
表示部２０２には撮影者が確認する撮像画像や再生画像が表示される表示画面２０６が配置されている。本説明の表示部２０２において、表示画面２０６が配置された側を表示部２０２表面、その対面側を表示部２０２裏面と表現する。また、表示部２０２の底面側には、記録媒体ないしは記録媒体挿入口を被覆するためのカードカバー部２０３が配置されている。記録媒体は、撮影者が撮影した画像を記録するために、撮像装置１０１に着脱する。
【００２１】
撮影者はカードカバー部２０３上に配置されたカードカバー操作ノブ２０４を操作することで、記録媒体ないしは記録媒体挿入口が被覆されている状態であるカバー閉状態から記録媒体ないしは記録媒体挿入口が露出している状態であるカバー開状態にすることができる。
【００２２】
カードカバー部２０３には、透明樹脂で構成されたカード視認窓２０５が設けられている。撮影者は撮像装置１０１に記録媒体が装着されているか否かを、カード視認窓２０５からカードカバー部２０３内部を観察することで確認することができる。撮像装置１０１には、表示部２０２裏面が対向する側に設けられた背面カバー２０７が配置されている。表示部２０２、カードカバー部２０３は背面カバー２０７に固定されることで撮像装置１０１と結合している。背面カバー２０７の上面には、表示部当接部２０８が配設されており、表示部２０２の回動動作時の動作端として機能する。
【００２３】
（撮像装置表示部の動作に関する説明）
撮像装置１０１の表示部２０２の動作および着脱ファインダーを装着しない状態における表示部２０２の使用形態について説明する。
【００２４】
図３は撮像装置１０１の上面側に表示部２０２を向けた状態を底面右側下方からみた斜視図、図４は撮像装置１０１の上面側に表示部２０２を向けた状態を右側面からみた側面図、図５は撮像装置１０１の底面側に表示部２０２を向けた状態を右側面からみた側面図である。
【００２５】
図３に示すように表示部２０２を撮像装置１０１に対して回転移動可能に取り付けるヒンジ部３０１が配置されている。ヒンジ部３０１は撮像装置１０１側に配置された第１の表示部回転軸３０２と表示部２０２側に配置された第２の表示部回転軸３０３を有している。
【００２６】
図３に示すように、表示部２０２は撮像装置１０１に対して回転移動可能に構成される。本図を用いて表示部２０２の可動可能な姿勢について説明する。ヒンジ部３０１は本体背面側の締結部３０５によって撮像装置１０１に締結される。また、ヒンジ部３０１はこの締結部３０５近傍に一点鎖線で表示した第１の表示部回転軸３０２を有し、撮像装置１０１に対する表示部２０２の回転移動を可能にする。
【００２７】
このように、表示部２０２を第１の表示部回転軸３０２と第２の表示部回転軸３０３の２つの軸で回転移動させることで、撮影者の眼７０１の位置に対して表示内容を見やすい位置に表示部２０２の位置を調整することが可能となる。たとえば、図４に示すような表示部２０２を撮像装置１０１に対して上面側に向けた、いわゆるローアングル姿勢や、図５に示すような表示部２０２を撮像装置１０１に対して底面側に向けた、いわゆるハイアングル姿勢においても、好適な位置で表示部２０２を視認できるようになる。
【００２８】
（着脱ファインダー外観斜視図の説明）
図６は撮像装置１０１の表示部２０２に着脱可能に構成された着脱ファインダー４０１を撮像装置１０１に装着した状態の斜視図、図７は着脱ファインダー４０１の主に上面構成を表す正面右側上方から見た斜視図、図８は着脱ファインダー４０１の主に背面構成を表す底面左側から見た斜視図である。これらの図を用いて着脱ファインダー４０１の外観斜視図に表される各要素の機能を説明する。
【００２９】
着脱ファインダー４０１は図６に示すように撮像装置１０１の背面に設けられた表示部２０２に装着して使用する。着脱ファインダー４０１には着脱ファインダー４０１正面に設けられた表示部保持部材５０１が配置されている。表示部保持部材５０１は、表示部２０２の略全周を覆うように形成され、内側に開口部５０６を有する枠状の部品として形成されている。表示部保持部材５０１の左側には、表示部保持部材５０１と一体で形成された固定係合爪５０２が設けられている。表示部保持部材５０１の右側には、表示部２０２と係合するように構成された可動係合爪５０３と、可動係合爪５０３を操作するための可動係合爪操作部５０４が設けられている。
【００３０】
表示部保持部材５０１には、ロの字状に形成された表示部付勢部材５０５が両面テープなどの粘着剤などで貼付されている。表示部付勢部材５０５は、着脱ファインダー４０１が撮像装置１０１の表示部２０２に装着された際に、表示部保持部材５０１と表示部２０２の間で押圧されるように配置されており、本実施例ではウレタンフォームなどのスポンジ状素材で構成されている。
【００３１】
着脱ファインダー４０１の内部には外観から視認できる位置にハーフミラー５０７が配置されている。ハーフミラー５０７は、アクリル等の透光性材料に銀やアルミ等の反射性材料をごく薄く蒸着して形成したものであり、入射光の一部を反射し、一部を透過する性質を持つ。本実施例における着脱ファインダー４０１の光学部品配置に関しては後述する。
【００３２】
着脱ファインダー４０１の背面側には、表示部２０２に表示される撮影画像や再生画像を視認するために、撮影者が接眼した際に撮影者の眼７０１を覆うためのアイカップ５０９が配置されている。アイカップ５０９の内側には、接眼側開口部６０１が設けられており、撮影者は撮像装置１０１の表示部２０２に表示された画像を、接眼側開口部６０１を覗くことで視認することができる。
【００３３】
接眼側開口部６０１の内側には、着脱ファインダー４０１の光学系の中で最も撮影者の眼７０１側に近い第２のレンズ６０２が配置されている。第２のレンズ６０２は、撮影者がアイカップ５０９の底面側に設けられた視度調整ノブ６０３を操作することで、図８に示す座標系のＸ軸方向に動作するように構成されている。撮影者は着脱ファインダー４０１を使用する際、視度調整ノブ６０３を操作することで、撮影者自身の視力に合うように第２のレンズ６０２を好適な位置に移動することができる。
【００３４】
着脱ファインダー４０１は、着脱ファインダー４０１の主に上部を被覆するレンズカバー５１０、着脱ファインダー４０１の主に底面側を被覆するハーフミラー保持部材５１１、着脱ファインダー４０１の主に背面側を被覆する開閉カバー５１２、アイカップ５０９で主たる外観を構成している。
【００３５】
つづいて、着脱ファインダー４０１の分離形態に関して、ハーフミラーユニット４０２の斜視図である図９、レンズユニット４０３の斜視図である図１０（ａ）・図１０（ｂ）を用いて説明する。
【００３６】
着脱ファインダー４０１は、ハーフミラーユニット４０２およびレンズユニット４０３の２つに分離することが可能である。前記２ユニットの接合部は、ハーフミラーユニット４０２側がハーフミラー保持部材５１１であり、レンズユニット４０３側はレンズカバー５１０および開閉カバー５１２である。また、いずれの接合部の両端には磁石が配されており、容易な脱着が可能である。
【００３７】
ハーフミラーユニット４０２は表示部保持部材５０１・ハーフミラー保持部材５１１を主な外観とし、ハーフミラー５０７を保持する構造である。図９中における＋Ｘ方向よび＋Ｙ方向から見て、ハーフミラー５０７のおおよそ全体が露出する姿勢となる。
【００３８】
レンズユニット４０３はレンズカバー５１０・アイカップ５０９・開閉カバー５１２を主な外装とする。開閉シャフト５１３はレンズカバー５１０および開閉カバー５１２の穴に挿通する棒状部品であり、開閉カバー５１２は開閉シャフト５１３を軸として回動可能である。ハーフミラーユニット４０２とレンズユニット４０３の接合部と同様に、開閉カバー５１２およびレンズカバー５１０には互いに接合可能なように磁石が取り付けられている。図１０（ａ）のような開閉カバー５１２が開いた状態から、図１０（ｂ）のように閉じた状態になることでレンズユニット４０３内部にキズがついたり、ゴミが混入するリスクを抑えることが出来る。
【００３９】
（着脱ファインダー断面図の説明）
図１１は着脱ファインダー４０１を図６に示す座標系のＸＹ平面で切断した断面図である。
【００４０】
本図を用いて断面図に表される着脱ファインダー４０１の内部構造を説明する。
【００４１】
光学部品の配置に関して、表示部２０２から出射した光束が撮影者の眼７０１に入射するまでに通過する順に説明する。また、図１１では表示部２０２から出射したファインダー光軸中心７０２ａ〜ｃを一点鎖線で表している。着脱ファインダー４０１には、表示部２０２に面し且つ斜めにハーフミラー５０７が配設されている。
【００４２】
反射鏡７０３はハーフミラー５０７からの反射光が入射するようにハーフミラー５０７と平行に配置されている。反射鏡７０３は、アクリル等の透光性材料に銀やアルミ等の反射性材料を蒸着したものである。反射鏡７０３で反射された光は、着脱ファインダー４０１内で移動不能に配設された第１のレンズ７０４を通過する。第１のレンズ７０４を通過した光は、後段に配設された第２のレンズ６０２を通過し、撮影者の眼７０１に到達する。
【００４３】
図１１において、ファインダー光軸中心７０２ａ〜ｃは、表示部２０２からハーフミラー５０７までの光束を第１の光束７０２ａ、ハーフミラー５０７から反射鏡７０３までの光束を第２の光束７０２ｂ、反射鏡７０３から撮影者の眼７０１までの光束を第３の光束７０２ｃとして３つの区間に分けて示した。
【００４４】
さらに、表示部２０２からの出射光をハーフミラー５０７が透過させた光線の光束を第４の光束７０２ｄおよび第５の光束７０２ｅによって示した。ハーフミラー５０７を透過した光線は第４の光束７０２ｄ方向に進み、開閉カバー５１２で反射して、第５の光束７０２ｅ方向に逆進する。開閉カバー５１２は反射率の低い黒色とすることで、第４の光束７０２ｄからの光線の反射強度を抑えている。よって、第５の光束７０２ｅを通る光線は強度が低くなるため、ハーフミラー５０７を透過する光線のうち、種々の部品による反射・透過を繰り返し撮影者の眼７０１に到達する成分は、限りなく少ない。
【００４５】
結果として、本実施例の着脱ファインダー４０１におけるハーフミラー５０７が、反射率がほぼ１００％の部材である場合と比べても、撮影者の眼７０１による表示部２０２の視認性は大きく劣ることはない。
【００４６】
このように、ハーフミラーユニット４０２とレンズユニット４０３を接続した状態で着脱ファインダー４０１を使用することで、撮像装置１０１の表示部２０２に表示される画像を外光を遮断することで明瞭に確認することが出来る。
【００４７】
（ハーフミラーユニット４０２を用いた対面表示の説明）
図１２は着脱ファインダー４０１を分離してハーフミラーユニット４０２のみを撮像装置１０１に取り付けた状態を示したものである。
図１２のように、撮像装置１０１の上面側に表示部２０２を向けた状態で、ハーフミラーユニット４０２を取り付けた状態においては、撮影者と被撮影者が同時に表示部２０２に表示される画像を確認しながら撮影が可能となる。なお、ここで述べる被撮影者とは、撮像装置１０１のレンズ１０２側に居て、レンズ１０２の方向を見る人物のことを指す。
【００４８】
図１３はハーフミラーユニット４０２を図１２に示す座標系のＸＹ平面で切断した断面図である。
本図を用いて撮影者の眼７０１および被撮影者の眼８０１に入射する光線の経路について説明する。なお図中において光線の経路を第１の光線経路８０２ａ〜第４の光線経路８０２ｄによって図示している。
【００４９】
前述したように、ハーフミラー５０７は照射された光の一部が透過し、残りを反射させるという特性を持つ。そのため、表示部２０２から第１の光線経路８０２ａ方向に出射された光線は、ハーフミラー５０７を透過して第２の光線経路８０２ｂを通り＋Ｙ方向に進行するものと、ハーフミラー５０７で反射して第３の光線経路８０２ｃを通り＋Ｘ方向に進行するものに分かれる。よって、撮影者はハーフミラーユニット４０２の上部から−Ｙ方向に撮影者の眼７０１を向けることで表示部２０２の画像を確認できる。被撮影者はハーフミラーユニット４０２の前方から−Ｘ方向に被撮影者の眼８０１を向けることで表示部２０２の画像を確認することが出来る。
【００５０】
撮影者の眼７０１に入射する光線には、第４の光線経路８０２ｄから入射し、ハーフミラー５０７で反射して第２の光線経路８０２ｂ方向に出射される光線も含まれる。同様に、被撮影者の眼８０１に入射する光線には、第４の光線経路８０２ｄから入射し、ハーフミラー５０７を透過して第３の光線経路８０２ｃ方向に出射される光線も含まれる。第４の光線経路８０２ｄから出射されるこれらの光線は、外光がハーフミラー保持部材５１１の表示部直角面５１１ａに当たって反射するものである。撮影者・被撮影者には表示部２０２の画像と表示部直角面５１１ａからの反射光が重ね合わさった像が視認される。
【００５１】
本実施例においては、表示部２０２の画像の視認性を上げるために、表示部直角面５１１ａは反射率の低い黒色とすることで、外光の表示部直角面５１１ａでの反射光の強度抑える工夫をしている。第４の光線経路８０２ｄからの光線強度に対して、相対的に第１の光線経路８０２ａからの光線強度が高くなるため、表示部２０２の画像の視認性を上がる。また、表示部直角面５１１ａを出来るだけ凹凸の少ない平滑な面にすることで、撮影者および被撮影者が視認する画像に、明度のムラのある像が重ね合わさらないようにしている。
【００５２】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００５３】
１０１  撮像装置、１０２  レンズ、１０３  ズームリング、
１０４  フォーカスリング、１０５  フォーカス切替スイッチ、
１０６ａ  表示切替スイッチ、１０６ｂ  ＡＦスイッチ、１０７  把持部、
１０８  マイク、１０９  アクセサリ取付部、１１０  アクセサリ取付台座部、
２０１  把持部回動軸、２０２  表示部、２０３  カードカバー部、
２０４  カードカバー操作ノブ、２０５  カード視認窓、２０６  表示画面、
２０７  背面カバー、２０８  表示部当接部、３０１  ヒンジ部、
３０２  第１の表示部回転軸、３０３  第２の表示部回転軸、３０５  締結部、
４０１  着脱ファインダー、４０２  ハーフミラーユニット、４０３  レンズユニット、
５０１  表示部保持部材、５０２  固定係合爪、５０３  可動係合爪、
５０４  可動係合爪操作部、５０５  表示部付勢部材、５０６  開口部、
５０７  ハーフミラー、５０９  アイカップ、５１０  レンズカバー、
５１１  ハーフミラー保持部材、５１１ａ  表示部直角面、５１２  開閉カバー、
５１３  開閉シャフト、６０１  接眼側開口部、６０２  第２のレンズ、
６０３  視度調整ノブ、７０１  撮影者の眼、７０２  ファインダー光軸中心、
７０２ａ  第１の光束、７０２ｂ  第２の光束、７０２ｃ  第３の光束、
７０２ｄ  第４の光束、７０２ｅ  第５の光束、７０３  反射鏡、
７０４  第１のレンズ、８０１  被撮影者の眼、８０２ａ  第１の光線経路、
８０２ｂ  第２の光線経路、８０２ｃ  第３の光線経路、８０２ｄ  第４の光線経路
【図１】
2017138436.tif 000003
【図２】
2017138436.tif 000004
【図３】
2017138436.tif 000005
【図４】
2017138436.tif 000006
【図５】
2017138436.tif 000007
【図６】
2017138436.tif 000008
【図７】
2017138436.tif 000009
【図８】
2017138436.tif 000010
【図９】
2017138436.tif 000011
【図１０ａ】
2017138436.tif 000012
【図１０ｂ】
2017138436.tif 000013
【図１１】
2017138436.tif 000014
【図１２】
2017138436.tif 000015
【図１３】
2017138436.tif 000016
【図１４】
2017138436.tif 000017